(57)【要約】【課題】  外張り断熱材の施工が簡単で、ヒートブリッジのおそれがなく、外壁の厚みを薄くすることが可能となる。【解決手段】  面板１の内面に柱２間に嵌め込む柱間断熱材３を内面に取着すると共に、面板１の外面の上部に上横桟４を取着して断熱パネル本体５を構成する。建物の土台６と梁７と隣接する柱２に囲まれた部分に、上記断熱パネル本体５の柱間断熱材３を嵌め込むと共に面板１を柱２、土台６、梁７の少なくとも１乃至複数の部材に固着具８により固着する。土台６の外面に下横桟９を固着する。外張り断熱材１０を下横桟９と上横桟４との間に嵌め込んで面板１の外面に重ねる。外張り断熱材１０の下端部を下横桟９に載置し且つ外張り断熱材１０の上端部を上横桟４の下面に保持させる。【選択図】        図１
2010007313.tif 000002
【特許請求の範囲】
【請求項１】
面板の内面に柱間に嵌め込む柱間断熱材を取着すると共に、面板の外面の上部に上横桟を取着して断熱パネル本体を構成し、建物の土台と梁と隣接する柱に囲まれた部分に、上記断熱パネル本体の柱間断熱材を嵌め込むと共に面板を柱、土台、梁の少なくとも１乃至複数の部材の外面に固着具により固着し、土台の外面に下横桟を固着し、外張り断熱材を下横桟と上横桟との間に嵌め込んで面板の外面に重ね、上記外張り断熱材の下端部を下横桟に載置し且つ外張り断熱材の上端部を上横桟の下面に保持させて成ることを特徴とする外壁の断熱構造。
【請求項２】
土台の外面に固着した下横桟の上面に面板を載置し、下横桟の上面の面板よりも外側方に突出した部分に外張り断熱材の下端を載置し、上横桟の下面に被嵌め込み部を形成し、外張り断熱材の上端部に設けた嵌め込み部を上記被嵌め込み部に嵌め込んで成ることを特徴とする請求項１記載の外壁の断熱構造。
【発明の詳細な説明】
【技術分野】
【０００１】
本発明は、外壁の断熱構造に関するものである。
【背景技術】
【０００２】
従来から、外張り断熱工法で形成した外壁の断熱構造として、特許文献１に示される従来例が知られている。
【０００３】
上記特許文献１に示された従来例の外壁の断熱構造にあっては、柱（間柱も含む）の外面側に構造用面板を固着し、この構造用面板の外面側に外張り断熱材を釘打ちにより固着し、外張り断熱材の外面側に通気胴縁を配置して、該通気胴縁を外張り断熱材を介して柱に釘打ちにより固着し、通気胴縁に外装材を固着していた。
【０００４】
上記の構成の従来例にあっては、外張り断熱材を柱等に固着するに当たり、まず、柱の外面に構造用面板を固着した後、外張り断熱材を釘打ちにより仮止めし、その後、外張り断熱材に桟を重ねて、桟を外張り断熱材を介して柱に釘打ちにより固着する作業が必要となり、外張り断熱材の取付け作業が面倒である。また、外張り断熱材を釘打ちで仮止め、本固定するため、該外張り断熱材を貫通する釘がヒートブリッジとなるという問題がある。
【０００５】
また、桟は外装材を取付けて支持するものであるから、十分な取付け強度を必要とする。ところが、従来にあっては、桟を外張り断熱材を介して釘打ちで取付けるため、取付け強度を確保するには柱への打ち込み深さが十分取れるように長い釘を必要とし、作業に手間がかかる。しかも、長い釘を用いて柱に十分に長い打ち込み長を確保したとしても、該釘の途中は発泡合成樹脂のような支持強度のない外張り断熱材を貫通しているため、曲げに対しては弱いという問題があった。
【０００６】
更に、外張り断熱材のみで外壁の断熱を図っているので、必要な断熱性能を得るためには柱の外面に固着した構造用面板の外面に取付ける外張り断熱材の厚みが厚くなり、この結果、外壁の厚みが厚くなり、コストアップとなるという問題がある。
【特許文献１】特開２００３−３３６３２９号公報
【発明の開示】
【発明が解決しようとする課題】
【０００７】
本発明は上記の従来の問題点に鑑みて発明したものであって、外張り断熱材の施工が簡単で、ヒートブリッジのおそれがなく、外壁の厚みを薄くすることが可能となる外壁の断熱構造を提供することを課題とするものである。
【課題を解決するための手段】
【０００８】
本発明は、面板１の内面に柱２間に嵌め込む柱間断熱材３を取着すると共に、面板１の外面の上部に上横桟４を取着して断熱パネル本体５を構成する。上記断熱パネル本体５の柱間断熱材３を、建物の土台６と梁７と隣接する柱２に囲まれた部分に嵌め込むと共に、面板１を柱２、土台６、梁７の少なくとも１乃至複数の部材の外面に固着具８により固着する。土台６の外面に下横桟９を固着し、外張り断熱材１０を下横桟９と上横桟４との間に嵌め込んで面板１の外面に重ね、上記外張り断熱材１０の下端部を下横桟９に載置し且つ外張り断熱材１０の上端部を上横桟４の下面に保持させて成る。
【０００９】
上記のように、断熱パネル本体５は面板１を固着具８により固着することで、同時に柱２間に柱間断熱材３を嵌め込んで柱２間の断熱ができる。また、外張り断熱材１０の下端部を下横桟９に載置し且つ外張り断熱材１０の上端部を上横桟４の下面に保持させることで、外張り断熱材１０は嵌め込みにより取付けることができて、外張り断熱材１０を釘打ちなどで柱２等に固定する必要がない。また、柱間断熱材３を柱２間に嵌め込むことで、外張り断熱材１０の厚みを薄くしても外壁として必要な断熱性を確保でき、また、柱２の外面側も断熱構造にできる。
【００１０】
また、土台６の外面に固着した下横桟９の上面に面板１を載置し、下横桟９の上面の面板１よりも外側方に突出した部分に外張り断熱材１０の下端を載置し、上横桟４の下面に被嵌め込み部１１を形成し、外張り断熱材１０の上端部に設けた嵌め込み部１２を上記被嵌め込み部１１に嵌め込むことが好ましい。
【００１１】
このような構成とすることで、土台６の外面に固着した下横桟９の上面に面板１を載置することで、断熱パネル本体５を取付ける際の位置決め及び仮支持が確実にできる。また、外張り断熱材１０の上端部に設けた嵌め込み部１２を上記被嵌め込み部１１に嵌め込むことで、外張り断熱材１０の支持が簡単且つ確実にできる。
【発明の効果】
【００１２】
本発明は、断熱パネル本体の面板を固着具で固着することにより、同時に柱間に柱間断熱材を嵌め込んで柱間の断熱ができる。また、外張り断熱材は、下横桟と上横桟との間に嵌め込むことで取付けができて、外張り断熱材の取付けに当たって、従来例のように釘打ちを必要とせず、外張り断熱材を取付ける釘によるヒートブリッジのおそれがない。また、柱間断熱材を柱間に嵌め込むので、外張り断熱材の厚みを薄くしても外壁としての必要な断熱性を確保でき、この結果、外張り断熱材を用いたにもかかわらず、外壁の厚みを薄くできてコストダウンが図れる。また、上横桟、下横桟とも外張り断熱材を介することなく、面板又は柱等に直接固着するので、施工性がよく、また、上横桟、下横桟の取付け強度が強く、外装材を強固に支持できる。
【発明を実施するための最良の形態】
【００１３】
以下、本発明を添付図面に示す実施形態に基いて説明する。
【００１４】
断熱パネル本体５は図２に示すようなもので、構造用合板のような面板１の内面に柱間断熱材３を取着し、面板１の外面の上部に面板１の左右方向にわたって上横桟４を取着して構成してある。
【００１５】
柱間断熱材３は発泡スチロールのような発泡系断熱材よりなり、面板１の内面にあらかじめ接着剤により貼付けてある。柱間断熱材３は建物の柱２（ここで柱２とは間柱も含むものとする）間に嵌め込まれるもので、建物の土台６と梁７と隣接する柱２に囲まれた部分にぴったりと嵌め込まれる大きさとなっている。また、図２（ａ）のように面板１の内面の柱間断熱材３を貼付けていない部分のうち、柱間断熱材３の左右両側の部位が柱配置部１３となり、柱間断熱材３よりも上の部位が梁配置部１４となり、柱間断熱材３よりも下の部位が土台配置部１５となっている。
【００１６】
上横桟４は下面に被嵌め込み部１１が設けてあり、図２（ｂ）に示す実施形態では上横桟４の下面の前端部から下方に下向き突部１１ａが一体に垂設してあって上横桟４の下面の下向き突部１１ａよりも後方の凹となった部分が被嵌め込み部１１となっている。
【００１７】
上記の構成の断熱パネル本体５は、図４（ａ）に示すように、建物の土台６と梁７と隣接する柱２に囲まれた部分に、上記断熱パネル本体５の柱間断熱材３を嵌め込んで仮止めする。この仮止め状態において、面板１の内面の上記柱配置部１３、梁配置部１４、土台配置部１５をそれぞれ隣合う柱２の外面、梁７の外面、土台６の外面に当接し、面板１を柱２、土台６、梁７の少なくとも１乃至複数の部材に釘のような固着具８により固着する。
【００１８】
このように断熱パネル本体５の取付け施工に当たり、柱間断熱材３を、土台６と梁７と隣接する柱２に囲まれた部分にぴったりと嵌め込んで断熱パネル本体５の仮止めした状態で固着具８による固着作業ができるので、作業が容易となる。
【００１９】
また、土台６の外面には下横桟９を現場施工により釘のような固着具８により固着する。
【００２０】
ここで、下横桟９を上記断熱パネル本体５を取付ける前に土台６の外面に固着しておくことで、断熱パネル本体５を取付ける際に、下横桟９の上に面板１の下端を載置して正確な位置に位置決め保持でき、上記柱間断熱材３を、土台６と梁７と隣接する柱２に囲まれた部分にぴったりと嵌め込むことによる仮止め効果との相乗により、断熱パネル本体５を正確な位置に確実に仮止めした状態で固着具８による固着作業ができる。
【００２１】
添付図面に示す実施形態にて梁７は、断面Ｈ型をした金属梁７ａの上面と下面とにそれぞれ木質の桟材７ｂを固着した複合梁であり、梁配置部１４を上記梁７の下端部の桟材７ｂの外面に当接して固着具８により固着してある。
【００２２】
上記のように、建物の軸組みの外面側に断熱パネル本体５を取付けた後、図４（ｂ）のように、外張り断熱材１０を断熱パネル本体５の面板１の外側に持って来て、図１に示すように、
外張り断熱材１０を下横桟９と上横桟４との間に嵌め込んで面板１の外面に重ね、外張り断熱材１０の下端部を下横桟９の上面の面板１よりも外側方に突出した部分に載置し、且つ、外張り断熱材１０の上端部を上横桟４の下面に保持させる。
【００２３】
外張り断熱材１０は発泡スチロールのような発泡系断熱材よりなり、上端部に嵌め込み部１２が設けてある。
【００２４】
図１、図３に示す実施形態では、外張り断熱材１０の上端面の後部から上方に嵌め込み突部１６を突設して嵌め込み部１２を構成してある。
【００２５】
この外張り断熱材１０は下端を下横桟９の上面に載置し、上端の嵌め込み部１２を上横桟４の下面の被嵌め込み部１１に嵌め込む。
【００２６】
これにより、外張り断熱材１０を保持できて、釘などの固着具により固着する必要がなく、したがって、外張り断熱材１０を取付けるための釘によるヒートブリッジが発生しないことになる。
【００２７】
また、外壁は、面板１の内面に貼着した柱２間に嵌め込まれた柱間断熱材３と、面板１の外面側に配設される外張り断熱材１０とで断熱しているので、外張り断熱材１０の厚みを薄くしても外壁としての必要な断熱性を確保でき、従って外壁を薄くできる。
【００２８】
なお、図示を省略しているが、上記上横桟４、下横桟９の外面側に直交するように通気胴縁が固定されて、上記のように断熱パネル本体５の外面側に保持されている外張り断熱材１０の外面を通気胴縁により押圧して外張り断熱材１０が外れないようにし、更に、通気胴縁の外面側に外装材を取付ける。左右方向に隣接する通気胴縁間には通気用隙間が形成される。
【００２９】
図５には本発明の他の実施形態が示してあり、上横桟４の下面の内外方向の中央部から下方に下向き突部１１ａが一体に垂設してあって被嵌め込み部１１となっており、外張り断熱材１０の上端面の内外方向の中央部に凹部を設けて嵌め込み部１２を形成してある例である。
【００３０】
ところで、建物の出隅部においては、建物の軸組みの出隅を介して隣接する部分にそれぞれ前述のようにして断熱パネル本体５を取付けると共に、断熱パネル本体５の面板１の外面側に前述のようにして外張り断熱材１０を保持させる（図６（ａ）参照）。その後、この外張り断熱材１０を上下両端部を支持している上横桟４、下横桟９に対して図６（ｂ）の矢印のようにスライドさせて隅部を介して隣接する両外張り断熱材１０同士を突き合わせ（一方の外張り断熱材１０の側端面を他方の外張り断熱材１０の裏面端部に当接させ）ることで、出隅部分の断熱性を確保することができる。
【図面の簡単な説明】
【００３１】
【図１】本発明の断面図である。
【図２】同上に用いる断熱パネル本体を示し、（ａ）は背面図であり、（ｂ）は側面図である。
【図３】同上に用いる外張り断熱材の側面図である。
【図４】（ａ）（ｂ）同上の施工順序を示す説明図である。
【図５】本発明の他の実施形態の断面図である。
【図６】（ａ）（ｂ）は本発明の出隅部分における断熱構造を構成するための施工順序を示す平面図である。
【符号の説明】
【００３２】
１  面板
２  柱
３  柱間断熱材
４  上横桟
５  断熱パネル本体
６  土台
７  梁
８  固着具
９  下横桟
１０  外張り断熱材
１１  被嵌め込み部
１２  嵌め込み部
【図１】
2010007313.tif 000003
【図２】
2010007313.tif 000004
【図３】
2010007313.tif 000005
【図４】
2010007313.tif 000006
【図５】
2010007313.tif 000007
【図６】
2010007313.tif 000008